(57)【要約】【課題】上位の階層の操作を行う上位操作部と、下位の階層の操作を行う下位操作部とをユーザへ直感的に判断させることができる操作装置を提供すること。【解決手段】上位の階層の操作を行うことで複数の機能から操作対象の機能を選択し、前記上位の階層よりも下位の階層の操作を行うことで前記操作対象の機能の操作項目を選択して前記操作対象の機能の動作を調整する操作装置へ、前記下位の階層の操作を行う下位操作手段と、前記下位操作手段を環状に囲む領域内に配置され、前記上位の階層の操作を行う上位操作手段とを設ける。【選択図】図１
2012118950.tif 000002
【特許請求の範囲】
【請求項１】
上位の階層の操作を行うことで複数の機能から操作対象の機能を選択し、前記上位の階層よりも下位の階層の操作を行うことで前記操作対象の機能の操作項目を選択して前記操作対象の機能の動作を調整する操作装置であって、
前記下位の階層の操作を行う下位操作手段と、
前記下位操作手段を環状に囲む領域内に設けられ、前記上位の階層の操作を行う上位操作手段と
を備えたことを特徴とする操作装置。
【請求項２】
前記下位操作手段の操作によって選択する前記操作項目の選択肢と前記階層とを対応付けた階層情報を記憶する階層情報記憶手段と、
前記上位操作手段または前記下位操作手段が操作された場合、前記階層情報に基づいて次に前記下位操作手段によって選択する前記操作項目の選択肢を設定する設定手段と
を備えたことを特徴とする請求項１に記載の操作装置。
【請求項３】
前記設定手段は、
前記操作項目の選択肢を設定した後、操作項目の選択操作または操作項目の決定操作がなされないまま所定期間が経過した場合、次に前記下位操作手段の操作によって選択する前記操作項目の選択肢として、設定中の前記選択肢に対応する階層よりも上位の階層に対応する前記選択肢を設定する
ことを特徴とする請求項２に記載の操作装置。
【請求項４】
前記設定手段は、
前記操作項目の選択肢を設定した後、前記操作対象の機能の動作が調整された場合、次に前記下位操作手段によって選択する前記操作項目の選択肢として、設定中の前記選択肢に対応する階層よりも上位の階層に対応する前記選択肢を設定する
ことを特徴とする請求項２または請求項３に記載の操作装置。
【請求項５】
前記設定手段は、
設定中の前記選択肢に対応する階層よりも上位の階層に対応する前記選択肢を設定する場合、デフォルトとして設定されている前記選択肢を設定する
ことを特徴とする請求項３または請求項４に記載の操作装置。
【請求項６】
前記上位操作手段および前記下位操作手段の操作履歴を示す履歴情報を記憶する履歴情報記憶手段
をさらに備え、
前記設定手段は、
前記履歴情報に基づいて前記選択肢の優先順位を決定し、前記デフォルトとして設定されている前記選択肢を前記優先順位に応じて変更する
ことを特徴とする請求項５に記載の操作装置。
【請求項７】
前記設定手段は、
設定中の前記選択肢に対応する階層よりも上位の階層に対応する前記選択肢を設定する場合、直近に設定した選択肢を設定する
ことを特徴とする請求項３または請求項４に記載の操作装置。
【請求項８】
前記設定手段は、
前記上位操作手段によって前記操作対象の機能が選択された場合、次に前記下位操作手段によって選択する前記操作項目の選択肢として、当該機能に関して直近に選択された操作項目を含む選択肢を設定する
ことを特徴とする請求項２〜７のいずれか一つに記載の操作装置。
【発明の詳細な説明】
【技術分野】
【０００１】
本発明は、操作装置に関するものであり、特に、上位の階層の操作を行う上位操作部と、下位の階層の操作を行う下位操作部とをユーザへ直感的に判断させることができる操作装置に関する。
【背景技術】
【０００２】
従来、複数の装置を操作することができる操作装置が知られている。かかる操作装置では、各操作段階に対応する階層毎に各操作段階でユーザへ選択させる操作項目の一覧が定められている。
【０００３】
すなわち、かかる操作装置は、上位の階層の操作を行うことで操作対象の装置を選択し、上位の階層よりも下位の階層の操作を行うことで操作対象の装置の操作項目を選択して操作対象の装置の動作を調整するように構成されている。
【０００４】
このため、かかる操作装置には、上位の階層の操作を行うための上位操作部と、上位の階層よりも下位の階層の操作を行うための下位操作部とを備えたものがある。
【０００５】
例えば、特許文献１には、上位操作部として機能するダイヤルと、下位操作部として機能する複数のスイッチとを備えた操作装置が記載されている。具体的には、特許文献１に記載の操作装置は、操作対象として選択中の装置を表示する表示部と複数のスイッチとが操作面に配置されており、側面にダイヤルが配置されている。
【０００６】
そして、特許文献１に記載の操作装置は、側面のダイヤルを操作することで操作対象とする装置の選択および表示部へ表示させる装置の切替えを行い、操作面の各スイッチを操作することで操作対象の装置に対して所望の操作を行うように構成されている。
【先行技術文献】
【特許文献】
【０００７】
【特許文献１】特開２００１−６４８０号公報
【発明の概要】
【発明が解決しようとする課題】
【０００８】
しかしながら、特許文献１に記載の操作装置では、上位の階層の操作を行う上位操作部と、下位の階層の操作を行う下位操作部とをユーザへ直感的に判断させることができない恐れがあるという問題があった。
【０００９】
すなわち、特許文献１に記載の操作装置では、下位操作部であるスイッチが配置されている操作面に表示部が配置され、側面に上位操作部であるダイヤルが配置されている。このため、ユーザは、操作装置を操作する場合、表示部が配置されている操作面を見ながら操作を行う。
【００１０】
かかる場合、上位操作部であるダイヤルよりも下位操作部であるスイッチの方がユーザの視界へ入りやすい。したがって、ユーザは、最初に操作すべき上位操作部と、上位操作部の操作後に操作すべき下位操作部とを直感的に判断することができない恐れがある。
【００１１】
このことから、上位の階層の操作を行う上位操作部と、下位の階層の操作を行う下位操作部とをユーザへ直感的に判断させることができる操作装置をいかにして実現するかが大きな課題となっている。
【００１２】
本発明は、上記に鑑みてなされたものであって、上位の階層の操作を行う上位操作部と、下位の階層の操作を行う下位操作部とをユーザへ直感的に判断させることができる操作装置を提供することを目的とする。
【課題を解決するための手段】
【００１３】
上述した課題を解決し、目的を達成するために、本発明は、上位の階層の操作を行うことで複数の機能から操作対象の機能を選択し、前記上位の階層よりも下位の階層の操作を行うことで前記操作対象の機能の操作項目を選択して前記操作対象の機能の動作を調整する操作装置であって、前記下位の階層の操作を行う下位操作手段と、前記下位操作手段を環状に囲む領域内に設けられ、前記上位の階層の操作を行う上位操作手段とを備えたことを特徴とする。
【発明の効果】
【００１４】
本発明によれば、上位の階層の操作を行う上位操作部と、下位の階層の操作を行う下位操作部とをユーザへ直感的に判断させることができるため操作装置の操作性を向上させることができるという効果を奏する。
【図面の簡単な説明】
【００１５】
【図１】図１は、本発明の一形態例に係る操作装置の概要を示す図である。
【図２】図２は、本実施例に係る操作装置によって階層的に行うことができる各種操作の階層構造の一例を示す図である。
【図３】図３は、本実施例に係る操作装置の外観を示す図である。
【図４】図４は、本実施例に係る操作装置の接続形態および操作装置１と接続されているオーディオ、エアコン、表示装置の構成を示すブロック図である。
【図５】図５は、本実施例に係る操作装置の構成を示すブロック図である。
【図６】図６は、本実施例に係る操作装置の動作を示す図である。
【図７】図７は、本実施例に係る操作装置の動作を示す図である。
【図８】図８は、本実施例に係る操作装置の制御部が実行する処理を示すフローチャートである。
【図９】図９は、操作対象の装置の状態を、操作対象の装置に対して最後に操作が行われたときの状態へ戻す場合の操作装置の動作を示す図である。
【図１０】図１０は、上位操作部によって最上位の階層以外の階層の操作を行うように構成した操作装置の動作を示す図である。
【図１１】図１１は、上位操作部、下位操作部、決定操作部へ割当てる機能を任意に設定する場合の操作装置の動作を示す図である。
【図１２】図１２は、接続されていない装置を選択対象から除外して操作対象の装置を選択する場合の操作装置の動作を示す図である。
【図１３】図１３は、案内表示の表示態様に関する変形例を示す図である。
【発明を実施するための形態】
【００１６】
以下に添付図面を参照して、本発明に係る操作装置の実施例を詳細に説明する。まず、実施例の詳細な説明に先立って、本発明の一形態例に係る操作装置の概要について図１を用いて説明する。図１は、本発明の一形態例に係る操作装置１００の概要を示す図である。
【００１７】
図１（Ａ）に示すように、操作装置１００では、各操作段階に対応する階層毎に各操作段階でユーザへ選択させる操作項目の選択肢が定められている。
【００１８】
そして、操作装置１００では、ユーザが上位の階層の操作を行うことで操作対象の装置を選択し、上位の階層よりも下位の階層の操作を行うことで操作対象の装置の操作項目を選択して操作対象の装置の動作を調整する。
【００１９】
例えば、操作装置１００では、図１（Ａ）に示す装置Ａが備える機能の動作を調整する場合、まず、上位階層の操作によって複数の選択対象装置から操作対象の装置Ａを選択する。
【００２０】
続いて、操作装置１００では、下位の階層の操作によって操作対象の装置Ａに関する操作項目Ａ１、Ａ１１を階層の高い順に順次選択し、最終的に最下位の階層の操作項目を選択することで操作対象の装置Ａの動作を調整する。
【００２１】
特に、操作装置１００では、上位の操作を行うためにユーザが操作する上位操作部と、下位の操作を行うためにユーザが操作する下位操作部とをユーザが直感的に判断できるように配置している。
【００２２】
具体的には、図１（Ｂ）に示すように、操作装置１００では、下位操作部１０１を環状に囲む領域１０２の内部に上位操作部１０３を配置している。
【００２３】
すなわち、操作装置１００では、操作対象の装置という大項目を選択する上位操作部１０３の内側に、操作対象の装置に関する操作項目という小項目を選択する下位操作部１０１を配置している。
【００２４】
このように、操作装置１００は、環状の領域１０２内に配置した上位操作部１０３の操作によって大項目を選択させ、上位操作部１０３の内側に配置した下位操作部１０１の操作によって小項目を選択させるように構成している。これにより、操作装置１００は、上位操作部１０３と下位操作部１０１とをユーザへ直感的に判断させることができる。
【００２５】
また、操作装置１００は、操作項目が選択された後、下位操作部１０１が操作されないまま所定期間が経過した場合、下位操作部１０１による操作の階層を一階層上側へ戻す機能を持つ。なお、かかる点については、図７を用いて後述する。
【００２６】
また、操作装置１００は、操作項目が選択された後、下位操作部１０１が操作されないまま所定期間が経過した場合、下位操作部１０１による操作の階層をデフォルトとして設定されている階層へ戻す機能を持つ。なお、かかる点についても、図７を用いて後述する。
【００２７】
さらに、操作装置１００は、上位操作部１０３および下位操作部１０１の操作履歴に基づいて操作の優先順位を決定し、デフォルトとして設定されている操作の階層を優先順位に応じて変更する機能を持つ。なお、かかる点についても、図７を用いて後述する。
【００２８】
また、操作装置１００は、上位操作部１０３によって操作対象の装置が選択された場合、操作対象の装置の状態を、操作対象の装置に対して最後に操作が行われたときの状態へ戻す機能を持つ。なお、かかる点については、図９を用いて後述する。
【００２９】
また、操作装置１００は、下位操作部１０１によって行う下位の階層の操作のうち、最下位層の操作以外の操作を上位操作部１０３によって行うように構成することもできる。なお、かかる点については、図１０を用いて後述する。
【００３０】
また、操作装置１００は、上位操作部１０３および下位操作部１０１によって行う階層の操作を任意に設定するように構成することもできる。なお、かかる点については、図１１を用いて後述する。
【００３１】
また、操作装置１００は、上位操作部１０３によって操作対象の装置を選択させる場合に、接続可能な装置のうち接続されていない装置を選択対象から除外して選択させる機能を持つ。なお、かかる点については、図１２を用いて後述する。
【００３２】
上述したように、操作装置１００は、操作対象の装置という大項目を選択する上位操作部１０３の内側に、操作対象の装置に関する操作項目という小項目を選択する下位操作部１０１を配置している。これにより、操作装置１００は、上位操作部１０３と下位操作部１０１とをユーザへ直感的に判断させることができる。
【００３３】
以下では、本発明を適用した操作装置についての実施例を説明する。なお、以下では、車両のインストルメントパネルまたはハンドルに設置され、車両に設けられた音響装置（以下、「オーディオ」という）および空調装置（以下、「エアコン」という）の動作を制御するためにユーザが操作する操作装置ついて説明する。
【実施例】
【００３４】
まず、図２を用いて、本実施例に係る操作装置によって階層的に行うことができる各種操作の階層構造の一例について説明する。図２は、本実施例に係る操作装置によって階層的に行うことができる各種操作の階層構造の一例を示す図である。
【００３５】
図２に示すように、上位階層には、操作対象となる装置が対応付けられており、上位の階層よりも下位の階層となる中位の階層には、操作対象の装置毎に操作対象の装置に関する操作項目の選択肢が対応付けられている。さらに、中位階層よりも下位の階層には、中位階層の操作項目に関する操作項目の選択肢が対応付けられている。
【００３６】
以下、図２に示す階層構造に従って本実施例に係る操作装置によって行われる操作について具体的に説明する。本実施例に係る操作装置は、ユーザによる上位の階層の操作に従ってオーディオまたはエアコンから操作対象とする装置を選択し、オーディオを選択した場合、中位の階層の操作に従って再生する音源を選択する。
【００３７】
なお、本実施例に係る操作装置は、ＦＭラジオ、ＡＭラジオ、ディスクの中から再生する音声の音源を選択できるように構成している。ここでのディスクとは、音声情報が記録された記録メディアである。
【００３８】
続いて、本実施例に係る操作装置は、音源としてＦＭラジオまたはＡＭラジオを選択した場合、中位の階層の操作に従って、チャンネル（ＣＨ）設定、周波数設定、音量設定のうち、いずれかの機能を選択する。
【００３９】
なお、ＣＨ設定とは、プリセットした複数のチャンネルから所望のチャンネルをユーザへ選択させる機能であり、周波数設定とは、受信するラジオ放送の周波数をユーザへ選択させる機能である。また、音量設定とはオーディオに出力させる音量をユーザへ選択させる機能である。
【００４０】
また、本実施例に係る操作装置は、音源としてディスクを選択した場合、ユーザによる中位の階層の操作に従って音量設定またはトラック設定のいずれかを選択する。なお、ここでのトラック設定とは、トラック単位でディスクへ記録されている音声情報から再生するトラックをユーザへ選択させる機能である。
【００４１】
続いて、本実施例に係る操作装置は、ユーザによる下位の階層の操作に従って、最下位層の選択肢を選択することによりオーディオの各機能を調整する。例えば、本実施例に係る操作装置は、中位の階層の操作に従ってＣＨ設定を選択していた場合、ＣＨ１〜ＣＨ７の中から設定するチャンネルを選択（調整）する。
【００４２】
また、本実施例に係る操作装置は、中位の階層の操作に従ってＦＭラジオの周波数設定を選択していた場合、７６ＭＨｚ〜９０ＭＨｚの中で設定する周波数を選択する。また、本実施例に係る操作装置は、中位の階層の操作に従ってＡＭラジオの周波数設定を選択していた場合、５３１ｋＨｚ〜１６０２ｋＨｚの中で設定する周波数を選択する。
【００４３】
また、本実施例に係る操作装置は、中位の階層の操作に従って音量設定を選択していた場合、レベル１〜レベル１０の中で設定する音量を選択する。また、本実施例に係る操作装置は、中位の階層の操作に従ってトラック設定を選択していた場合、トラック１〜トラック１５の中で再生する音声情報を選択する。
【００４４】
一方、本実施例に係る操作装置は、ユーザによる上位の階層の操作に従ってエアコンを選択していた場合、中位の階層の操作に従って温度設定、風量設定、風向設定の中からエアコンに関する操作項目を選択する。そして、本実施例に係る操作装置は、中位の階層の操作に従って温度設定を選択していた場合、下位の階層の操作に従って１７℃〜２９℃の中から設定するエアコンの温度を選択する。
【００４５】
また、本実施例に係る操作装置は、中位の階層の操作に従って風量設定を選択していた場合、レベル１〜レベル４の中から設定するエアコンの風量を選択する。また、本実施例に係る操作装置は、中位の階層の操作に従って風向設定を選択していた場合、上、上下、下の中から設定するエアコンの風向を選択する。
【００４６】
次に、本実施例に係る操作装置の外観について説明する。図３は、本実施例に係る操作装置１の外観を示す図である。図３に示すように、操作装置１は、電源操作部２と、オーディオ（ＡＵＤ）用の上位操作部３と、エアコン（ＡＣ）用の上位操作部４と、下位操作部５と、決定操作部６とを備えている。
【００４７】
電源操作部２は、プッシュ式のスイッチであり、押圧操作することでオーディオおよびエアコンの電源のＯＮとＯＦＦとを切替えるスイッチである。オーディオ（ＡＵＤ）用の上位操作部３は、プッシュ式のスイッチであり、押圧操作することでオーディオを操作対象として選択するスイッチである。エアコン（ＡＣ）用の上位操作部４は、プッシュ式のスイッチであり、押圧操作することでエアコンを操作対象として選択するスイッチである。
【００４８】
下位操作部５は、決定操作部６を回転軸として回転操作する回転式のスイッチであり、操作対象として選択した装置に関する操作項目を選択するスイッチである。具体的には、下位操作部５は、オーディオやエアコンが備える各機能の選択や、選択した機能の調整等を行うスイッチである。決定操作部６は、プッシュ式のスイッチであり、下位操作部５の操作によって選択された機能や機能の調整結果を押圧操作することで決定するスイッチである。
【００４９】
特に、操作装置１では、電源操作部２が操作された後、ユーザへ最初に選択させるべき操作対象の装置という大項目を選択する上位操作部３、４が配置された領域の内側に、小項目である装置の操作項目を選択する下位操作部５を配置している。
【００５０】
これにより、操作装置１によれば、上位操作部３、４と下位操作部５とをユーザへ直感的に判断させることができるため操作性を向上させることができる。なお、本実施例では、上位操作部３、４をそれぞれ個別に設けたプッシュ式のスイッチにより構成しているが、上位操作部３、４の構成は、これに限定するものではない。
【００５１】
すなわち、上位操作部３、４は、下位操作部５を環状に囲む領域内に設けられるスイッチであれば任意のスイッチを用いることができる。例えば、上位操作部３、４は、下位操作部５を環状に囲む一つの回転式のスイッチによって構成することもできる。
【００５２】
かかる構成とする場合、操作装置１は、回転式の上位操作部を回転操作することによって操作対象の装置を選択し、その後、決定操作部６を押圧操作することで操作対象の装置を決定するように構成する。
【００５３】
かかる構成とすれば、操作装置１によって操作する操作対象の装置数が多数であっても、回転式の上位操作部の回転角度毎に操作対象の装置を割当てておくことで、上位操作部として機能するスイッチ数を増大させることなく装置の選択を行うことができる。
【００５４】
次に、操作装置１の接続形態および操作装置１と接続されているオーディオ２０、エアコン３０、表示装置４０の構成について説明する。図４は、本実施例に係る操作装置１の接続形態および操作装置１と接続されているオーディオ２０、エアコン３０、表示装置４０の構成を示すブロック図である。なお、同図では、操作装置１の特徴を説明するために必要な構成要素のみを示しており、一般的な構成要素についての記載を省略している。
【００５５】
図４に示すように、操作装置１は、オーディオ２０、エアコン３０、表示装置４０と接続されている。オーディオ２０は、放送受信部２１と、ディスク再生部２２と、スピーカ２３と、音声調整回路２４と分配回路２５とを備えている。
【００５６】
放送受信部２１は、ＡＭおよびＦＭラジオ放送を受信する処理部である。かかる放送受信部２１によって受信された放送の音声信号は、分配回路２５、音声調整回路２４を介してスピーカ２３から出力される。
【００５７】
ディスク再生部２２は、ＣＤ（Compact  Disc）等のメディアに記録されている音声情報から音声信号を再生する処理部である。かかるディスク再生部２２によって再生された音声信号は、分配回路２５、音声調整回路２４を介してスピーカ２３から出力される。
【００５８】
スピーカ２３は、車両に搭載されている一般的な出音装置である。また、音声調整回路２４は、スピーカ２３から出力させる音声の音量および音質を調整する回路である。
【００５９】
分配回路２５は、操作装置１から入力される制御信号を対応する制御対象へ分配する回路である。また、分配回路２５は、放送受信部２１およびディスク再生部２２から出力される音声信号を音声調整回路２４へ中継する。
【００６０】
エアコン３０は、コンプレッサ３１、ファン３２、エアコンバルブ３３、エアコン駆動部３４等を備えている。コンプレッサ３１は、エアコン駆動部３４から入力される駆動信号に基づき冷房用の冷媒を液化する圧縮装置である。
【００６１】
ファン３２は、エアコン３０により加熱または冷却された空気を車室内へ送り込む送風装置である。また、エアコンバルブ３３は、エアコン３０により加熱または冷却された空気を車室内へ導入する導入路となるダクトである。
【００６２】
エアコン駆動部３４は、操作装置１から入力される制御信号に基づき、コンプレッサ３１およびファン３２の動作、エアコンバルブ３３の流路切替え等を行う処理部である。
【００６３】
表示装置４０は、ディスプレイ４１とディスプレイ駆動部４２とを備えている。ディスプレイ４１は、操作装置１の操作対象としてユーザへ選択させる装置の種類、装置が備える機能、ユーザによって調整された機能の状態等を示す案内表示を表示する液晶表示デバイスである。
【００６４】
ディスプレイ駆動部４２は、操作装置１からの制御信号に基づいてディスプレイ４１へ表示させる案内表示の更新を行う処理部である。なお、ディスプレイ４１の具体的な表示例については、図６、図７、図９〜図１３を用いて後述する。
【００６５】
操作装置１は、ユーザからの操作を受付け、操作に応じた制御信号を対応する操作対象へ出力することでオーディオ２０、エアコン３０、表示装置４０の動作制御および各種設定等を行う。次に、図５を用いて操作装置１の構成について説明する。
【００６６】
図５は、本実施例に係る操作装置１の構成を示すブロック図である。図５に示すように、操作装置１は、遠隔操作部１０と、制御部１１と、記憶部１２とを備えている。遠隔操作部１０は、車両のインストルメントパネルまたはハンドルのスポーク部分に設置され各車載装置の動作を制御するためにユーザが操作するものである。
【００６７】
かかる遠隔操作部１０は、電源操作部２、上位操作部３、４、下位操作部５、決定操作部６を備え、電源操作部２、上位操作部３、４、下位操作部５、決定操作部６が操作された場合に、各操作に対応した操作信号を制御部１１へ出力する。
【００６８】
記憶部１２は、フラッシュメモリ等の不揮発性情報記憶デバイスであり、履歴情報１２ａ、デフォルト情報１２ｂ、階層情報１２ｃ等を記憶する。かかる記憶部１２へ記憶される履歴情報１２ａは、上位操作部３、４、下位操作部５、決定操作部６の各操作履歴を示す情報である。
【００６９】
また、デフォルト情報は、操作装置１のユーザまたは操作装置１のメーカーによって設定される情報である。かかるデフォルト情報は、制御部１１が下位操作部５の操作によって選択される操作項目を現時点よりも上位の階層の操作項目へ自動的に戻す場合に用いるデフォルトして設定された操作項目の選択肢を示す情報である。
【００７０】
また、階層情報１２ｃは、図２に示す階層構造を示す情報であり、各操作段階で操作装置１によって選択される操作項目と操作項目の階層構造における位置とが対応付けられている情報である。
【００７１】
制御部１１は、マイコン（Microcomputer）により構成しており、遠隔操作部１０から入力される操作信号に基づいて生成した制御信号を制御対象のオーディオ２０、エアコン３０、表示装置４０等へ出力する処理部である。
【００７２】
かかる制御部１１は、インターフェース部１１ａと、設定部１１ｂと、表示制御部１１ｃとを備えている。インターフェース部１１ａは、制御部１１と操作対象の装置との間で各種信号の送受信を行う通信インターフェースである。
【００７３】
そして、インターフェース部１１ａは、電源操作部２から入力されるＯＮ信号またはＯＦ信号をオーディオ２０、エアコン３０、表示装置４０へ出力する。また、設定部１１ｂは、上位操作部３、４、下位操作部５、決定操作部６から入力される操作信号に基づいて各操作部の操作に対応した制御信号を生成し、インターフェース部１１ａを介して操作対象の装置へ出力する処理部である。
【００７４】
具体的には、設定部１１ｂは、上位操作部３、４から操作信号が入力された場合に、操作信号に対応する装置を操作対象の装置として決定する。続いて、設定部１１ｂは、階層情報１２ｃに基づき、次に下位操作部５によって選択する操作項目の選択肢を設定部１１ｂ内のメモリ（図示略）へ記憶することで設定する。
【００７５】
このとき、設定部１１ｂは、例えば、操作項目の各選択肢と下位操作部５の回転操作角とを対応付けてメモリへ記憶する。また、このとき、設定部１１ｂは、設定した操作項目の選択肢に関する情報を表示制御部１１ｃへ出力する。そして、操作部１１ｃは、入力された操作信号に対応する操作を示す情報を記憶部１２へ記憶させて履歴情報１２ａを更新する。
【００７６】
続いて、設定部１１ｂは、下位操作部５から操作信号が入力されると、操作信号に基づいて下位操作部５の回転操作角を算出し、回転操作角に対応付けてメモリに記憶している操作項目を選択する。また、このとき、設定部１１ｂは、入力された操作信号に対応する操作を示す情報を記憶部１２へ記憶させて履歴情報１２ａを更新する。
【００７７】
続いて、設定部１１ｂは、決定操作部６から操作信号が入力されると、直近に選択した操作項目を決定する。このとき、設定部１１ｂは、入力された操作信号に対応する操作を示す情報を記憶部１２へ記憶させて履歴情報１２ａを更新する。
【００７８】
続いて、設定部１１ｂは、決定した操作項目に対応する制御信号を操作対象の装置へ出力することで操作対象の装置を操作する。例えば、設定部１１ｂは、決定した操作項目がＡＭラジオであった場合、オーディオ２０へＡＭラジオを受信させる制御信号を出力する。
【００７９】
このとき、設定部１１ｂは、決定した操作項目に対応する制御信号を表示制御部１１ｃへ出力する。その後、設定部１１ｂは、遠隔操作部１０から操作信号が入力された場合、上記した処理手順で操作対象の装置を操作する。
【００８０】
また、設定部１１ｂは、上位操作部３、４または上位操作部５が操作された後、下位操作部５が操作されないまま所定期間が経過した場合、下位操作部５により操作項目を選択する操作の階層を現時点よりも上位側の階層へ移す。
【００８１】
具体的には、設定部１１ｂは、次に下位操作部５の操作によって選択する操作項目の選択肢として、現在設定中の選択肢に対応する階層よりも上位の階層に対応する選択肢を設定することで、操作の階層を上位側の階層へ戻す。
【００８２】
このとき設定部１１ｂは、階層情報１２ａに基づき、操作の階層を一階層上側の階層へ戻すこともでき、デフォルト情報１２ｂに基づき、デフォルトとして設定されている階層へ戻すこともできる。
【００８３】
すなわち、設定部１１ｂは、一階層上側の階層の操作で選択すべき操作項目の選択肢またはデフォルトとして設定されている選択肢を、次に下位操作部５の操作によって選択する操作項目の選択肢として設定することができる。
【００８４】
なお、設定部１１ｂは、図示しない他の操作部の操作によって、操作の階層を一階層上側の階層へ戻すか、デフォルトとして設定されている階層へ戻すかを切替える。また、設定部１１ｂは、学習機能を備えている。
【００８５】
かかる学習機能とは、履歴情報１２ａに基づいて遠隔操作部１０の各操作に関する優先順位を決定し、デフォルトとして設定されている操作項目の選択肢を各操作の優先順位に応じて変更する機能である。たとえば、かかる学習機能では、過去に選択された回数が多い操作項目の選択肢ほど優先順位が高くなるように学習する。
【００８６】
また、かかる学習機能は、図示しない他の操作部の操作によって、ＯＮ／ＯＦＦを切替える。そして、設定部１１ｂは、学習機能がＯＮ状態である場合、操作の階層を上位側の階層へ戻す際、履歴情報１２ａに基づき決定した優先順位が最も高い操作項目の選択肢を設定する。
【００８７】
また、設定部１１ｂは、最下位の階層の操作で選択された操作項目が決定された場合、すわなち、操作対象の装置の調整が完了した場合にも、操作の階層を上位側の階層へ戻す。そして、設定部１１ｂは、操作の階層を上位側へ戻す場合も操作の階層に対応した操作項目の選択肢に関する情報を表示制御部１１ｃへ出力する。
【００８８】
表示制御部１１ｃは、設定部１１ｂから入力される制御信号に基づき、遠隔操作部１０による操作状態を表示させる制御信号生成して表示装置４０へ出力する処理部である。具体的には、表示制御部１１ｃは、現在選択されている操作対象の装置や、現在設定されている選択可能な操作項目の選択肢、現在選択されている操作項目を指し示すカーソル等をディスプレイ４１へ表示させる。
【００８９】
次に、操作装置１の動作について図６および図７を用いて説明する。図６および図７は、本実施例に係る操作装置１の動作を示す図である。なお、図６および図７では、オーディオ２０をＡＵＤ、エアコン３０をＡＣと記載している。
【００９０】
図６（Ａ−１）に示すように、ユーザによって電源操作部２が操作されると、操作装置１は、オーディオ２０およびエアコン３０へＯＮ信号を出力することによりオーディオ２０およびエアコン３０の電源をＯＮ状態とする。
【００９１】
このとき、操作装置１は、ラストモードの案内表示７、すなわち、前回、電源がＯＦＦ状態とされる直前に表示させていた案内表示７を表示させる。ここでは、操作装置１が、図６（Ｂ−１）に示すように、オーディオ２０およびエアコン３０から操作対象の装置を選択させる案内表示７をディスプレイ４１へ表示させた場合について説明する。
【００９２】
続いて、操作装置１は、図６（Ａ−２）に示すように、オーディオ（ＡＵＤ）用の上位操作部３が操作されると、操作対象の装置としてオーディオ２０を選択するとともに、下位操作部５の操作により次に選択する操作項目の選択肢を階層情報１２ｃに基づいて設定する。
【００９３】
ここでは、操作項目の選択肢としてオーディオ２０の音源となりうるディスク、ＦＭラジオ、ＡＭラジオを設定する。そして、操作装置１は、図６（Ｂ−２）に示すように、設定した選択肢を示す案内表示７をディスプレイ４１へ表示させる。なお、図６に示す符号７０（実線太枠）は、現在選択されている操作項目を示すカーソルである。
【００９４】
続いて、操作装置１は、図６（Ａ−３）に示すように、下位操作部５が操作されると、図６（Ｂ−３）に示すように、案内表示７中のカーソル７０を移動させる。ここでは、ユーザがカーソル７０をＦＭラジオの位置まで移動させたとする。
【００９５】
続いて、操作装置１は、図６（Ａ−４）に示すように、決定操作部６が操作されると、オーディオ２０の音源としてＦＭラジオを選択するとともに、下位操作部５の操作により次に選択する操作項目の選択肢を階層情報１２ｃに基づいて設定する。
【００９６】
ここでは、操作項目の選択肢としてＦＭラジオのＣＨ（チャンネル）設定、周波数設定、音量設定を設定する。そして、操作装置１は、図６（Ｂ−４）に示すように、設定した選択肢を示す案内表示７をディスプレイ４１へ表示させる。
【００９７】
続いて、操作装置１は、図６（Ａ−５）に示すように、下位操作部５が操作されると、図６（Ｂ−５）に示すように、案内表示７中のカーソル７０を移動させる。ここでは、ユーザが音量設定の位置までカーソル７０を移動させたとする。
【００９８】
続いて、操作装置１は、図６（Ａ−６）に示すように、決定操作部６が操作されると、ＦＭラジオに関する操作項目として音量設定を選択するとともに、下位操作部５の操作により次に選択する操作項目の選択肢を階層情報１２ｃに基づいて設定する。
【００９９】
ここでは、操作項目の選択肢として選択可能な音量のレベルを設定する。そして、操作装置１は、図６（Ｂ−６）に示すように、現在設定されている音量のレベルを示す案内表示７をディスプレイ４１へ表示させる。
【０１００】
続いて、操作装置１は、図６（Ａ−７）に示すように、下位操作部５が操作されると、下位操作部５の操作に応じた音量のレベルを選択して当該音量レベルとする制御信号をオーディオ２０に出力すると共に、図６（Ｂ−７）に示すように、選択した音量のレベルを示す案内表示７をディスプレイ４１へ表示させる。
【０１０１】
このように、操作装置１では、上位の階層の操作を行った後、中位の操作および下位の操作を順次行うことで操作対象の装置の動作を調整することができる。
【０１０２】
また、操作装置１は、下位操作部５によって行う操作の階層を自動または手動により上位側の階層へ戻すことができるように構成している。ここで、図７を用いて操作装置１が下位操作部５によって行う操作の階層を自動または手動により上位側の階層へ戻す場合の動作について説明する。
【０１０３】
以下では、オーディオ２０の音量が調整された後に、操作装置１が行う動作について説明する。図７（Ａ）に示すように、オーディオ２０の音量が調整された場合、ディスプレイ４１には、現在設定されている音量のレベルを示す案内表示７が表示されている。
【０１０４】
このとき、操作装置１では、下位操作部５の操作により次に選択する操作項目の選択肢として選択可能な音量のレベルが設定されている。
【０１０５】
かかる状態で操作装置１は、音量調整の後、遠隔操作部１０による操作項目の選択操作または決定操作がなされないまま所定期間が経過した場合に、下位操作部５によって行う操作の階層を自動的に上位側の階層へ戻す。
【０１０６】
また、操作装置１は、次に下位操作部５の操作によって選択する操作項目の選択肢を設定した後、遠隔操作部１０による操作項目の選択操作または決定操作がなされないまま所定期間が経過した場合にも下位操作部５によって行う操作の階層を自動的に上位側の階層へ戻す。
【０１０７】
このとき、操作装置１は、図７（Ｂ−１）に示すように、前述の学習機能がＯＦＦである場合、デフォルト情報１２ｂに基づき、設定中の前記選択肢に対応する階層よりも層上位側の階層でデフォルトとして設定されている選択肢を設定する。
【０１０８】
ここでは、操作装置１は、次に前記下位操作手段の操作によって選択する前記操作項目の選択肢として、オーディオ２０の操作項目を選択する階層で最も高い階層の選択肢、すなわち、ディスク、ＦＭラジオ、ＡＭラジオを設定する。さらに、操作装置１は、設定した選択肢と選択中の操作項目を示す案内表示７をディスプレイ４１へ表示させる。
【０１０９】
一方、操作装置１は、図７（Ｂ−２）に示すように、前述の学習機能がＯＮである場合、履歴情報１２ａに基づいて決定した優先順が最高の選択肢を設定する。
【０１１０】
このとき、操作装置１は、音量設定の選択頻度が最も高い場合、音量設定の優先順位を最高と決定し、音量設定を選択する操作の階層に対応する選択肢、すなわち、ＣＨ設定、周波数設定、音量設定を設定する。さらに、操作装置１は、設定した選択肢と選択中の操作項目を示す案内表示７をディスプレイ４１へ表示させる。
【０１１１】
このように、操作装置１は、操作項目の選択操作または設定操作がないまま所定期間が経過した場合に、下位操作部５によって行う操作の階層を自動的に上位側の階層へ戻すため、ユーザによる操作回数を低減して操作性を向上させることができる。
【０１１２】
なお、操作装置１は、操作対象の装置の動作に関する調整内容が決定された場合にも、下位操作部５によって行う操作の階層を自動的に上位側の階層へ戻すように構成している。これにより、操作装置１によれば、装置の動作に関する調整内容を決定する決定操作を行うことで、即座に他の操作項目の選択操作へ移ることができるため操作性を向上させることができる。
【０１１３】
また、操作装置１は、各階層の操作で選択する操作項目の選択肢へ、一階層上位側の階層の操作へ戻る操作項目７６を加え、図７（Ｃ）に示すように、かかる操作項目７６を加えた選択肢をディスプレイ４１へ表示させるように構成してもよい。
【０１１４】
かかる構成とした場合、ユーザは、各階層の操作で一階層上位側の階層の操作へ戻る操作項目７６を順次選択して決定操作を行うことにより、所望の操作項目を選択する階層まで順次操作の階層を戻すことができる。したがって、ユーザは、操作の階層構造を熟知していなくとも容易に所望の操作項目を選択する階層の操作まで至ることができる。
【０１１５】
また、操作装置１は、各階層の操作で選択する操作項目の選択肢へ、操作対象として選択されていない装置を選択する操作項目７７（この例では「エアコン」）を加え、図７（Ｄ）に示すように、かかる操作項目７７を加えた選択肢をディスプレイ４１へ表示させるように構成してもよい。
【０１１６】
かかる構成とした場合、ユーザは、下位操作部５を操作中に、上位操作部３、４を操作することなく操作対象として選択されていない装置を操作対象として選択することができる。
【０１１７】
次に、操作装置１の制御部１１が実行する処理について図８を用いて説明する。図８は、本実施例に係る操作装置１の制御部１１が実行する処理を示すフローチャートである。制御部１１は、電源操作部２の操作によって電源が投入されてから電源が切られるまで、図８に示す処理を繰り返し実行する。
【０１１８】
具体的には、制御部１１は、電源が投入された場合、前回、電源が切られる直前に表示させていた案内表示７を表示させる。そして、制御部１１は、図８に示すように、まず、上位操作部３、４によって操作対象の装置を選択する装置選択操作があったか否かを判定する（ステップＳ１０１）。
【０１１９】
続いて、制御部１１は、装置選択操作があったと判定した場合（ステップＳ１０１，Ｙｅｓ）、操作対象とする装置を選択し（ステップＳ１０２）、処理をステップＳ１０３へ移す。一方、制御部１１は、装置選択操作がなかったと判定した場合（ステップＳ１０１，Ｎｏ）、処理をステップＳ１０３へ移す。
【０１２０】
ステップＳ１０３において、制御部１１は、下位操作部５によって操作項目を選択する操作項目選択操作があったか否かを判定する。このとき、制御部１１は、下位操作部５による操作項目の選択操作および決定操作部６による操作項目の決定操作が行われた場合に、操作項目選択操作があったと判定する。
【０１２１】
そして、制御部１１は、操作項目選択操作がなかったと判定した場合（ステップＳ１０３，Ｎｏ）、処理をステップＳ１０８へ移す。一方、制御部１１は、操作項目選択操作があったと判定した場合（ステップＳ１０３，Ｙｅｓ）、ステップＳ１０３で操作ありと判定された操作項目選択操作が最下位の階層の操作項目選択操作であったか否かを判定する（ステップＳ１０４）。
【０１２２】
そして、制御部１１は、最下位の階層の操作項目選択操作でないと判定した場合（ステップＳ１０４，Ｎｏ）、ステップＳ１０３において選択された操作項目を決定し（ステップＳ１１１）、決定した操作項目に対応する制御を行って処理をステップＳ１０３へ移す。
【０１２３】
一方、制御部１１は、最下位の階層の操作項目選択操作であったと判定した場合（ステップＳ１０４，Ｙｅｓ）、操作内容が確定されたか否かを判定する（ステップＳ１０５）。そして、制御部１１は、操作内容が確定されていないと判定した場合（ステップＳ１０５，Ｎｏ）、処理をステップＳ１０３へ移す。
【０１２４】
一方、制御部１１は、操作内容が確定されたと判定した場合（ステップＳ１０５，Ｙｅｓ）、確定された操作内容に対応する動作を制御対象装置に実行させ（ステップＳ１０６）、処理をステップＳ１０７へ移す。
【０１２５】
たとえば、制御部１１は、決定操作部６によって決定操作が行われた場合に、決定操作により決定された動作を操作対象装置に実行させる。また、制御部１１は、オーディオ２０の音量調整のように、下位操作部５の選択操作だけで操作内容が決定される場合には、下位操作部５の操作に応じてオーディオ２０に音量の調整を行わせる。
【０１２６】
ステップＳ１０７において、制御部１１は、最下位の階層の操作が完了したか否かを判定し、操作が完了していないと判定した場合（ステップＳ１０７，Ｎｏ）、処理をステップＳ１０３へ移す。
【０１２７】
一方、制御部１１は、最下位の操作が完了したと判定した場合（ステップＳ１０７，Ｙｅｓ）、処理をステップＳ１０８へ移す。このとき、制御部１１は、決定操作部６によって決定操作が行われた場合、または、最下位の階層での選択操作が所定期間以上行われなかった場合に、最下位の操作が完了したと判定する。
【０１２８】
ステップＳ１０８において、制御部１１は、学習機能がＯＮであるか否かの判定を行い、学習機能がＯＮであると判定した場合（ステップＳ１０８，Ｙｅｓ）、次に下位操作部５の操作によって選択する選択肢として優先順位が最高の選択肢を設定して（ステップＳ１０９）、操作の階層を上位側の階層へ戻し、処理を終了する。
【０１２９】
一方、制御部１１は、学習機能がＯＦＦであると判定した場合（ステップＳ１０８，Ｎｏ）、次に下位操作部５の操作によって選択する選択肢としてデフォルトの選択肢を設定して（ステップＳ１１０）、操作の階層を上位側の階層へ戻し、処理を終了する。
【０１３０】
なお、最下位の階層の操作が完了した場合に、制御部１１が操作の階層を現在よりも上位側の階層へ戻す手順は、図８に示した例に限定するものではない。すなわち、制御部１１は、最下位の階層の操作が完了した場合に、現時点でどのような案内表示７を表示させているか、また、遠隔操作部１０の操作に応じて実行させた制御対象装置の動作内容に応じて操作の階層を任意の階層へ戻すように構成することもできる。
【０１３１】
かかる構成とした場合、制御部１１は、操作の階層を現在よりも上位側の階層へ戻す際に、操作の階層を最上位の階層へ戻すこともでき、１階層上位の階層へ戻すこともできる。
【０１３２】
ところで、操作装置１は、操作対象の装置を選択した場合に、操作対象の装置の状態を、操作対象の装置に対して最後に操作が行われたときの状態へ戻すこともできる。ここで、図９を用いて操作対象の装置の状態を、操作対象の装置に対して最後に操作が行われたときの状態へ戻す場合の操作装置１の動作について説明する。
【０１３３】
図９は、操作対象の装置の状態を、操作対象の装置に対して最後に操作が行われたときの状態へ戻す場合の操作装置１の動作を示す図である。操作装置１は、履歴情報１２ａを記憶しているため、操作対象として選択された装置に対して行われた操作を判別することができる。
【０１３４】
したがって、操作装置１は、操作対象の装置が選択された場合、次に下位操作部５によって選択する操作項目の選択肢として、操作対象の装置に関して直近に選択された操作項目を含む選択肢を設定することができる。
【０１３５】
このため、操作装置１は、操作対象の装置の状態を、操作対象の装置に対して最後に操作が行われたときの状態へ戻すことができる。たとえば、図９（Ａ−１）に示すように、電源操作部２の装置によって選択対象となりうる装置へ電源が投入され、図９（Ｂ−１）に示すように、操作対象の装置を選択させるための案内表示７がディスプレイ４１へ表示されているとする。
【０１３６】
その後、図９（Ａ−２）に示すように、操作対象としてオーディオ２０が選択され、前回、オーディオ２０が選択された際に、最後に行われた操作が音量を３レベルにするための操作項目を選択する操作であったとする。
【０１３７】
かかる場合、操作装置１は、履歴情報１２ａに基づき、前回、オーディオ２０が選択された際に、最後に選択された操作項目に対応する制御信号をオーディオ２０へ出力することによりオーディオ２０の音量を３レベルに調整することができる。このため、操作装置１は、図９（Ｂ−２）に示すように、音量が３レベルであることを示す案内表示７をディスプレイ４１へ表示させることもできる。
【０１３８】
ところで、操作装置１は、上位操作部３、４によって選択させる操作項目を追加することで、上位操作部３、４によって最上位の階層以外の階層の操作を行うように構成することもできる。
【０１３９】
以下、図１０を用いて上位操作部３、４によって最上位の階層以外の階層の操作を行うように構成した操作装置１の動作について説明する。図１０は、上位操作部３、４によって最上位の階層以外の階層の操作を行うように構成した操作装置１の動作を示す図である。
【０１４０】
図１０（Ａ−１）に示すように、操作装置１は、操作対象へ電源が投入された場合に、図１０（Ｂ―１）に示すように、上位操作部３、４の操作によって選択可能な選択肢として、オーディオ２０、エアコン３０、オーディオ２０／エアコン３０の３つの選択肢を設定する。この選択肢を例えば「ＭＩＸモード」とすると、このモードを表示するトリガとしては、例えば操作決定部の２回押し等の特殊操作、または設定により移行させる。
【０１４１】
そして、操作装置１は、図１０（Ｂ−２）に示すように、案内表示７でカーソル７０がＡＵＤ／ＡＣの位置にある場合に、図１０（Ａ−２）に示すように、決定操作部６が操作されると、操作対象としてオーディオ２０およびエアコン３０の両方を決定する。
【０１４２】
このとき、操作装置１は、図１０（Ａ−３）に示すように、上位操作部４が繰り返し操作されると、図１０（Ｂ−３）に示すように、オーディオ２０に関する各操作項目とエアコン３０に関する各操作項目とを順次選択する。
【０１４３】
また、操作装置１は、図１０（Ｂ−４）に示すように、操作対象としてオーディオ２０が選択された後、上位操作部４が繰り返し操作されると、オーディオ２０に関する各操作項目を順次選択する。
【０１４４】
また、操作装置１は、図１０（Ｂ−５）に示すように、操作対象としてエアコン３０が選択された後、上位操作部４が繰り返し操作されると、エアコン３０に関する各操作項目を順次選択する。
【０１４５】
また、操作装置１は、上位操作部３、４、下位操作部５、決定操作部６へ割当てる機能を任意に設定することもできる。以下、上位操作部３、４、下位操作部５、決定操作部６へ割当てる機能を任意に設定する場合の操作装置１の動作について説明する。
【０１４６】
図１１は、上位操作部３、４、下位操作部５、決定操作部６へ割当てる機能を任意に設定する場合の操作装置１の動作を示す図である。図１１（Ａ−１）に示すように、操作装置１は、電源操作部２が操作された場合、図１１（Ｂ−１）に示すように、上位操作部３、４によって選択可能な選択肢としてオーディオ２０、エアコン３０、操作モードを設定する。
【０１４７】
かかる場合、操作装置１は、図１１（Ａ−２）に示すように、上位操作部４が２回操作された場合に、図１１（Ｂ−２）に示すように、操作項目として操作モードを選択する。続いて、操作装置１は、図１１（Ａ−３）に示すように、決定操作部６が操作されると操作項目として操作モードを決定する。
【０１４８】
このとき、操作装置１は、次に下位操作部５によって選択する操作項目の選択肢として、図１１（Ｂ−３）に示すように、上位操作部３、４、下位操作部５、決定操作部６を設定する。
【０１４９】
続いて、操作装置１は、図１１（Ａ−４）に示すように、下位操作部５が操作され、図１１（Ｂ−４）に示すように、カーソル７０が決定操作部６の位置まで移動したとする。続いて、操作部は、図１１（Ａ−５）に示すように、決定操作部６が操作されると、操作項目として決定操作部６を決定する。
【０１５０】
このとき、操作装置１は、次に下位操作部５によって選択する操作項目の選択肢として、図１１（Ｂ−５）に示すように、決定、カーソル移動、調整を設定する。続いて、操作装置１は、図１１（Ａ−６）に示すように、下位操作部５が操作され、図１１（Ｂ−６）に示すように、カーソル７０がカーソル移動の位置まで移動したとする。
【０１５１】
かかる状態で、操作装置１は、決定操作部６が操作された場合、決定操作部６へカーソル移動の機能を割当てる。これにより、以後、再び操作モードによって決定操作部６へ割当てる機能を変更しないかぎり、決定操作部６は、カーソル移動用の操作部として機能する。
【０１５２】
これにより、操作装置１では、操作項目等を選択する場合、決定操作部６を操作する毎にカーソル７０を移動させることができる。なお、上位操作部３、４、下位操作部５についても同様に、任意の機能を割当てることができる。
【０１５３】
かかる構成とすれば、操作装置１は、ユーザの使い勝手に応じて上位操作部３、４、下位操作部５、決定操作部６へ割当てる機能を任意に設定することができるため操作性を向上させることができる。
【０１５４】
ところで、操作装置１は、操作対象の装置を選択する場合に、接続可能な装置のうち接続されていない装置を選択対象から除外して選択させるように構成することもできる。以下、図１２を用いて接続されていない装置を選択対象から除外して操作対象の装置を選択する場合の操作装置１の動作について説明する。
【０１５５】
図１２は、接続されていない装置を選択対象から除外して操作対象の装置を選択する場合の操作装置１の動作を示す図である。かかる構成とする場合、操作装置１の制御部が備えるインターフェース部１１ａへ接続されている装置を検知する検知部を設ける。
【０１５６】
そして、検知部は、例えば、インターフェース部に接続可能な装置に対応する入出力端子が設けられている場合、各入出力端子を流れる電流または電圧の有無に基づいて接続されていない装置を検知する。
【０１５７】
そして、操作装置１は、図１２（Ａ−１）に示すように、電源操作部２が操作されると、図１２（Ｂ−１）に示すように、接続可能な全ての装置、例えば、オーディオ２０、エアコン３０、ナビゲーション装置、テレビを選択肢としてディスプレイ４１へ表示させる。
【０１５８】
このとき、操作装置１へ接続可能な装置が全て接続されている場合、操作装置１は、図１２（Ａ−２）に示すように、上位操作部４が繰り返し操作されると、図１２（Ｂ−２）に示すように、カーソル７０を移動させることで各装置を順次選択する。
【０１５９】
一方、操作装置１へナビゲーション装置が接続されていない場合、操作装置１は、図１２（Ａ−２）に示すように、上位操作部４が繰り返し操作されると、図１２（Ｂ−３）に示すように、ナビゲーション装置をスキップしながら各装置を順次選択する。
【０１６０】
なお、上記した実施例では、選択対象の装置毎に、案内表示７全体を用いて操作項目等の選択肢を表示させる場合について説明したが、案内表示７の表示態様は、これに限定するものではない。
【０１６１】
以下、図１３を用いて案内表示７の表示態様に関する変形例について説明する。図１３は、案内表示７の表示態様に関する変形例を示す図である。
【０１６２】
案内表示７は、例えば、図１３（Ａ）に示すように、エアコン３０に関する操作項目を案内表示７の右側で表示させ、図１３（Ｂ）に示すように、オーディオ２０に関する操作項目を案内表示７の左側へ表示させることもできる。
【０１６３】
このように、操作対象の装置によって操作項目の表示位置が異なるように設定しておくことにより、ユーザは、ＡＵＤやＡＣなどの装置を特定するための情報を認識できなくても、操作項目の表示位置によって操作対象の装置を容易に認識することができる。
【０１６４】
また、図１３（Ａ）、（Ｂ）に示すように、操作対象の装置によって案内表示の背景色が異なるように設定しておくことによって、ユーザは、ＡＵＤやＡＣなどの装置を特定するための情報を認識できなくても、背景色の違いによって操作対象の装置を容易に認識することができる。
【０１６５】
また、図１３（Ａ）、（Ｂ）に示すように、案内表示内へ車両の走行距離や燃費計、シフトレバーのポジションを表示させてもよい。かかる場合、操作装置１と走行メータ、燃費算出部、シフト装置等とを接続しておく必要がある。
【０１６６】
かかる表示態様とすることで、ユーザは、案内表示を見るだけでオーディオ２０やエアコン３０等の車載装置の動作状態だけでなく車両に関する情報まで認識することができる。これにより、ユーザは、車載装置の動作状態や車両の情報を確認するためにそれぞれ異なる方向へ視線を向ける必要がなくなるため安全性を向上させることができる。
【符号の説明】
【０１６７】
１  操作装置
２  電源操作部
３、４  上位操作部
５  下位操作部
６  決定操作部
１０  遠隔操作部
１１  制御部
１１ａ  インターフェース部
１１ｂ  設定部
１１ｃ  表示制御部
１２  記憶部
１２ａ  履歴情報
１２ｂ  デフォルト情報
１２ｃ  階層情報
２０  オーディオ
２１  放送受信部
２２  ディスク再生部
２３  スピーカ
２４  音声調整回路
２５  分配回路
３０  エアコン
３１  コンプレッサ
３２  ファン
３３  エアコンバルブ
３４  エアコン駆動部
４０  表示装置
４１  ディスプレイ
４２  ディスプレイ駆動部
【図１】
2012118950.tif 000003
【図２】
2012118950.tif 000004
【図３】
2012118950.tif 000005
【図４】
2012118950.tif 000006
【図５】
2012118950.tif 000007
【図６】
2012118950.tif 000008
【図７】
2012118950.tif 000009
【図８】
2012118950.tif 000010
【図９】
2012118950.tif 000011
【図１０】
2012118950.tif 000012
【図１１】
2012118950.tif 000013
【図１２】
2012118950.tif 000014
【図１３】
2012118950.tif 000015